(57)【要約】【課題】箱本体の両端を閉塞部で閉塞して異物等の侵入を確実に防止しながら、箱本体の上面を開放して収納物を取り出す。【解決手段】収納箱は、前面１０、底面１３、背面１２、天面１１からなる四角筒状の箱本体１の両端開口部１Ａを閉塞部２で閉塞する。閉塞部２は、上フラップ２１、下フラップ２３、一対の横フラップ２４、２２を備え、横フラップ２４、２２の表面には突出部２５が形成され、下フラップ２３には突出部２５を露出させる切欠部２９が形成され、表面に塗布される接着剤９を介して上フラップ２１が接着されている。前面１０は、内側片１４と外側片１５とを備え、外側片１５は、内側片１４に接着されない非接着部１７を、切り取り線４を介して接着部１６から切り離し可能としている。収納箱は、外側片１５の非接着部１７と天面１１とで蓋部３を形成し、蓋部３の周縁を切り取り線４で切り離して箱本体１の上面を開放して収納物を取り出す。【選択図】図６
2018144875.tif 000002
【特許請求の範囲】
【請求項１】
互いに側縁で連接された前面、底面、背面、及び天面からなる四角筒状の箱本体と、前記箱本体の両端開口部を閉塞する閉塞部とを備えており、
前記閉塞部が、前記天面の両端に連接された上フラップと、前記底面の両端に連接された下フラップと、前記前面及び前記背面の両端に連接された一対の横フラップとを備え、前記箱本体の内部に収納物が収容された状態で、前記一対の横フラップが内側に折り畳まれ、次いで前記一対の横フラップと重なり合うように前記下フラップ、前記上フラップがこの順で内側に折り畳まれ、前記一対の横フラップ、前記下フラップ、前記上フラップが接着剤で接着されて前記両端開口部が封緘されるようにしており、
前記横フラップは、その表面に、外側に突出した突出部が形成され、
前記下フラップは、前記一対の横フラップに重ねた状態で、前記突出部を露出させる切欠部が先端部の両側に形成され、
前記突出部の表面及び前記下フラップの表面に塗布される接着剤を介して前記上フラップが接着されるように構成されており、
さらに、前記前面は、互いに積層されてなる内側片と外側片とを備えており、
前記内側片は、矩形状であって下端縁が前記底面に連結されると共に、両端には前記横フラップが連接されており、
前記外側片は、略矩形状であって上端縁が前記天面に連結されると共に、下部に形成された接着部を介して前記内側片に接着されており、
さらに、前記外側片は、前記内側片に接着されない領域を非接着部として、切り取り線を介して前記接着部から切り離し可能としており、
前記天面は、両端縁に沿って切り取り線を設けて、前記閉塞部から切り離し可能としており、
前記外側片の前記非接着部と前記天面とで蓋部を形成し、前記蓋部の周縁を前記切り取り線で切り離して前記箱本体の上面を開放し、開放された上面開口から収納物を取り出すようにしてなる紙製の収納箱。
【請求項２】
請求項１に記載の紙製の収納箱であって、
前記外側片が、前記非接着部の下端を前記接着部よりも突出させており、この突出端を切断開始部として前記蓋部の周縁を前記箱本体から切り離すようにしてなる紙製の収納箱。
【請求項３】
請求項１または２に記載の紙製の収納箱であって、
前記蓋部が、前記非接着部の表面に、収納物に関する情報を印字した情報表示領域を有しており、前記情報表示領域の周囲に破断線を設けて、前記破断線で切断することにより、前記情報表示領域を含むタブとして前記蓋部から切り離して利用可能としてなる紙製の収納箱。
【請求項４】
請求項３に記載の紙製の収納箱であって、
前記外側片は、下部の両端部を前記接着部として前記内側片に接着して、中央部に形成される前記非接着部に前記情報表示領域を設けると共に、略Ｌ字状に延長された前記切り取り線を介して前記非接着部を前記接着部から切り離し可能としており、
前記破断線を該切り取り線の延長線上に形成してなる紙製の収納箱。
【請求項５】
請求項１から４のいずれか一項に記載の紙製の収納箱であって、
前記突出部が、前記横フラップを部分的に切断して外側に突出させてなる打ち出し部である紙製の収納箱。
【請求項６】
請求項１から５のいずれか一項に記載の紙製の収納箱であって、
前記突出部の突出高さｈを、前記下フラップの厚みと略同一にすると共に、対向する前記切欠部に向かって次第に突出させて、前記突出部の表面を傾斜面としてなる紙製の収納箱。
【請求項７】
請求項１から６のいずれか一項に記載の紙製の収納箱であって、
前記突出部の表面及び前記下フラップの先端部に沿って塗布される接着剤の塗布位置が、略一直線状に配置されていることを特徴とする紙製の収納箱。
【請求項８】
請求項１から７のいずれか一項に記載の紙製の収納箱であって、
前記突出部と前記切欠部とが係合するように形成されてなることを特徴とする紙製の収納箱。
【発明の詳細な説明】
【技術分野】
【０００１】
本発明は、包装容器等として利用可能な紙製の収納箱に関する。
【背景技術】
【０００２】
従来、商品を収容するための包装容器として、紙製のシートを箱状に形成したものが多く利用されている。このような包装容器は製函機によって組み立てられ、商品を収容した後、側面の糊付け部分にホットメルト等の接着剤を塗布して、折り畳んで固定している。
【０００３】
包装容器等として利用可能な収納箱として、例えば、外形が直方体形状をなしており、前面、天面、背面、及び底面からなる角筒状の箱本体の両端開口部を、両端に設けたフラップで閉塞してなる収納箱が一般によく知られている。この収納箱は、上面から連接された上フラップと、底面から連接された下フラップと、前面及び背面から連接された一対の横フラップとを備え、内部空間に物品を収容後、一対の横フラップを内側に折り曲げ、次いで一対の横フラップと重なり合うように下フラップを内側に折り曲げ、さらに上フラップを内側に折り曲げて、下フラップと上フラップを接着剤で接着して側面を封緘している。
【０００４】
さらに、収納箱は、天面を蓋体として、この蓋体を開放して箱本体の上方を開口することで、収納物を便利に取り出しできる（特許文献１及び２参照）。ただ、天面を開放するためには、天面の両端に連接された上フラップを他のフラップに接着して固定する必要があり、このことを実現するためには、箱本体の両端開口部を閉塞するフラップの接着に制約を受ける。例えば、特許文献１及び２に記載される収納箱では、箱本体の両端開口部を閉塞するために、全てのフラップを接着するには接着工程が二回になり、製造工程が繁雑になると共に、接着剤の使用量も多くなって製造コストが高くなる問題点があった。したがって、天面を蓋体として開放できる構造としながら、両端のフラップを簡単かつ確実に閉塞できる構造の収納箱が求められていた。
【０００５】
ところで、収納箱は、その用途により、内部に収納される収納物の情報が表示されたタブを切り離し自在とすることで便利に使用できる。このような収納箱は、例えば、収納箱から取り出した収納物を別の収納場所に移した後、収納物の情報が表示されたタブを空の収納箱から切り離して、収納物の保管場所に取り付けることで、収納物の管理を便利に行うことができる。
【０００６】
このような収納箱は、例えば、複数の面を備えており、そのうち少なくとも一面が開封部を有する開封面であり、開封面と異なる面の少なくとも一面を、外側片及び内側片からなる二重構造としている。この収納箱は、外側片には内容物情報が印刷されており、外側片の一部または全部がタブとして切除されるように、内容物情報の周囲に破断線が形成されている。この収納箱は、破断線を切断してタブを外側片から切り離すことで、内容物情報が記載されたタブとして便利に使用できる。（特許文献３ないし５参照）
【先行技術文献】
【特許文献】
【０００７】
【特許文献１】特開２０１１−１６８２８２号公報
【特許文献１】特開２００８−２８００５２号公報
【特許文献３】実用新案登録第３１７２０９９号公報
【特許文献４】実用新案登録第３１８９９４２号公報
【特許文献５】実用新案登録第３１８４６０３号公報
【発明の概要】
【発明が解決しようとする課題】
【０００８】
本発明は、従来のこのような問題点を解決するためになされたものである。本発明の目的の一は、筒状に形成された箱本体の両端開口部を閉塞部で確実に閉塞して埃や異物、虫等の侵入を確実に防止しながら、箱本体の上面を開放して収納物を便利に取り出しできる紙製の収納箱を提供することにある。
また、本発明の他の目的は、収納物の情報が表示されたタブを備えると共に、このタブを速やか且つ確実に切断できる紙製の収納箱を提供することにある。
【課題を解決するための手段および発明の効果】
【０００９】
本発明の紙製の収納箱は、互いに側縁で連接された前面１０、底面１３、背面１２、及び天面１１からなる四角筒状の箱本体１と、箱本体１の両端開口部１Ａを閉塞する閉塞部２とを備えている。閉塞部２は、天面１１の両端に連接された上フラップ２１と、底面１３の両端に連接された下フラップ２３と、前面１０及び背面１２の両端に連接された一対の横フラップ２４、２２とを備え、箱本体１の内部に収納物が収容された状態で、一対の横フラップ２４、２２が内側に折り畳まれ、次いで一対の横フラップ２４、２２と重なり合うように下フラップ２３、上フラップ２１がこの順で内側に折り畳まれ、一対の横フラップ２４、２２、下フラップ２３、上フラップ２１が接着剤９で接着されて両端開口部１Ａが封緘されるようにしている。横フラップ２４、２２は、その表面に、外側に突出した突出部２５が形成されている。下フラップ２３は、一対の横フラップ２４、２２に重ねた状態で、突出部２５を露出させる切欠部２９が先端部の両側に形成されている。突出部２５の表面及び下フラップ２３の表面に塗布される接着剤９を介して上フラップ２１が接着されるように構成されている。さらに、前面１０は、互いに積層されてなる内側片１４と外側片１５とを備えている。内側片１４は、矩形状であって下端縁が底面１３に連結されると共に、両端には横フラップ２４、２２が連接されている。外側片１５は、略矩形状であって上端縁が天面１１に連結されると共に、下部に形成された接着部１６を介して内側片１４に接着されている。さらに、外側片１５は、内側片１４に接着されない領域を非接着部１７として、切り取り線４を介して接着部１６から切り離し可能としている。天面１１は、両端縁に沿って切り取り線４を設けて、閉塞部２から切り離し可能としている。収納箱は、外側片１５の非接着部１７と天面１１とで蓋部３を形成し、蓋部３の周縁を切り取り線４で切り離して箱本体１の上面を開放し、開放された上面開口１Ｂから収納物を取り出すようにしている。
【００１０】
上記構成により、筒状に形成された箱本体の両端開口部を閉塞部で確実に閉塞して埃や異物、虫等の侵入を確実に防止しながら、箱本体の上面を開放して収納物を便利に取り出しできる。とくに、この収納箱は、筒状に形成された箱本体の両端開口部を収納物の充填部として、収納部を充填後に開口部を閉塞部で閉塞するので、筒状の箱本体と閉塞部とによって、埃や異物等の侵入を確実に防止できる。また、収納物を取り出す際には、蓋部の周縁を箱本体から切り離すことで、簡単かつ容易に箱本体の上面を開放して収納物を取り出しできる。また、この収納箱は、前面を外側片と内側片の二重構造として、外側片の非接着部と天面とで蓋部を形成するので、周縁を箱本体から切断して蓋部を開放した後、蓋部の先端部を箱本体の内側片の内側に挿入して、再び箱本体の上面を閉塞できる。
【００１１】
本発明の紙製の収納箱は、外側片１５が、非接着部１７の下端を接着部１６よりも突出させて、この突出端を切断開始部５１として蓋部３の周縁を箱本体１から切り離すことができる。
【００１２】
上記構成により、非接着部の下端を接着部よりも突出させて切断開始部とするので、この部分に指先を引っ掛ける状態で簡単に蓋部の周縁の切り離しを開始できる。
【００１３】
本発明の紙製の収納箱は、蓋部３が、非接着部１７の表面に、収納物に関する情報を印字した情報表示領域５０を有し、情報表示領域５０の周囲に破断線６を設けて、破断線６を切断することにより、情報表示領域５０を含むタブ５として蓋部３から切り離して利用可能とすることができる。
【００１４】
上記構成により、外側片の非接着部に表示された情報表示領域を破断線で切断してタブとして使用する構造としながら、このタブを速やか且つ確実に、しかも綺麗に切断でき、印字された情報が破損することを有効に防止できる特徴がある。
【００１５】
本発明の紙製の収納箱は、外側片１５を、下部の両端部を接着部１６として内側片１４に接着して、中央部に形成される非接着部１７に情報表示領域５０を設けて、略Ｌ字状に延長された切り取り線４を介して非接着部１７を接着部１６から切り離し可能として、破断線６を切り取り線４の延長線上に形成することができる。
【００１６】
上記構成により、外側片の中央部を非接着部として、この領域にタブを設けながら、蓋部を開放する際に切断された切り取り線に沿って破断線を切断することで、破断線を簡単かつ容易に切断できる。
【００１７】
本発明の紙製の収納箱は、突出部２５が、横フラップ２４、２２を部分的に切断して外側に突出させてなる打ち出し部２６とすることができる。
【００１８】
上記構成により、横フラップに簡単かつ容易に突出部を形成できる。とくに、紙シートを所定のパターンに裁断する工程において、パンチング等により簡単に打ち出し部を形成することができる。
【００１９】
本発明の紙製の収納箱は、突出部２５の突出高さ（ｈ）を、下フラップ２３の厚みと略同一にすると共に、対向する切欠部２９に向かって次第に突出させて、突出部２５の表面を傾斜面２５Ａとすることができる。
【００２０】
上記構成により、接着剤が塗布される突出部の表面と下フラップの表面を略同一面とし、上フラップの接着時の押圧力を均一にできる。したがって、接着剤が流出したり垂れたりする事態を回避でき、収納箱の強度、特にひねり接着強度を増すことができる。また、横フラップの表面に形成された突出部の表面を傾斜面とすることで、複数のフラップを重ね合わせて封緘する際に形成される閉塞部の隙間を極力少なくすることができ、埃や異物、虫などの侵入を防止する効果を高めることができる。
【００２１】
本発明の紙製の収納箱は、突出部２５の表面及び下フラップ２３の先端部に沿って塗布される接着剤９の塗布位置を、略一直線状に配置することができる。
【００２２】
上記構成により、突出部の表面及び下フラップの表面に塗布される接着剤の塗布位置を略一直線状に配置することによって、接着工程を簡単にしながら、接着剤に使用量を最小限に抑えて製造コストを低減できる。
【００２３】
本発明の紙製の収納箱は、突出部２５と切欠部２９とを係合させるように形成することができる。
【００２４】
上記構成により、突出部と切欠部とが係合するように形成されることによって、突出部を確実に下フラップの所定の位置に配置して、接着の信頼性向上が図られる。また、突出部と切欠部との隙間を極減して、埃や異物等の侵入防止効果を一層高めることができる。
【図面の簡単な説明】
【００２５】
【図１】本発明の実施例１に係る収納箱の斜視図である。
【図２】図１に示す収納箱の展開図である。
【図３】図１に示す収納箱の端面開口部を閉塞する状態を示す斜視図である。
【図４】図１に示す収納箱の閉塞部の拡大断面図であって図３のＩＶ−ＩＶ線断面に相当する図である。
【図５】図１に示す収納箱の蓋部を開放する状態を示す斜視図である。
【図６】図５に示す収納箱のタブを切り離した状態を示す斜視図である。
【図７】突出部の他の一例を示す拡大斜視図である。
【図８】突出部の他の一例を示す拡大斜視図である。
【図９】突出部の他の一例を示す拡大断面図である。
【図１０】本発明の実施例２に係る収納箱の斜視図である。
【図１１】図１０に示す収納箱の展開図である。
【図１２】図１０に示す収納箱の端面開口部を閉塞する状態を示す斜視図である。
【図１３】図１０に示す収納箱の蓋部を開放する状態を示す斜視図である。
【図１４】図１３に示す収納箱のタブを切り離した状態を示す斜視図である。
【発明を実施するための形態】
【００２６】
以下、本発明の実施の形態を図面に基づいて説明する。ただし、以下に示す実施の形態は、本発明の技術思想を具体化するための紙製の収納箱を例示するものであって、本発明は紙製の収納箱を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２７】
（実施例１）
図１ないし図６に本発明の実施例１にかかる紙製の収納箱を示す。図１ないし図３に示す収納箱は、互いに側縁で連接された前面１０、底面１３、背面１２、及び天面１１からなる四角筒状の箱本体１と、この箱本体１の両端開口部１Ａを閉塞する閉塞部２とを備えている。図１に示す収納箱は、筒状の箱本体１を水平方向に配置して両端の閉塞部２を左右に配置する構造としている。この収納箱は、図２の展開図に示すように、平板状の厚紙等からなる紙製のシートを所定の形状に裁断した後、折曲及び接着されて所定の立体形状である箱型に製作される。この収納箱は、たとえば医薬品類を収納する箱として使用される。
【００２８】
（箱本体１）
箱本体１は、前面１０、底面１３、背面１２、及び天面１１からなる四角筒状であって、前面１０を、互いに積層してなる外側片１５と内側片１４とで構成している。内側片１４は、略矩形状であって、下端縁が底面１３に連結されている。外側片１５は、略矩形状であって、上端縁が天面１１に連結されている。外側片１５は、内側片１４の外側に積層されており、その下部には内側片１４の表面に接着される接着部１６を有している。外側片１５と内側片１４は、互いに積層、接着されて、二重構造の前面１０を形成している。
【００２９】
以上の箱本体１は、図２の展開図に示すように、互いの側縁で平行に連接してなる内側片１４、底面１３、背面１２、天面１１、及び外側片１５からなる５枚で一連の外周壁で構成されている。５枚の外周壁は、互いに対向する面である、底面１３と天面１１とを合同な長方形とし、さらに、外側片１５と内側片１４とで構成される前面１０と背面１２とを合同な長方形としている。内側片１４、底面１３、背面１２、天面１１、及び外側片１５からなる５枚の外周壁は、各々の境界において折曲線１８で直角に折曲されると共に、外側片１５が内側片１４に積層、接着されて全体を四角筒状に形成している。
【００３０】
（閉塞部２）
閉塞部２は、天面１１の両端に連接された上フラップ２１と、底面１３の両端に連接された下フラップ２３と、前面１０及び背面１２の両端に連接された一対の横フラップ２４、２２とを備えている。前面１０に設けた横フラップ２４は、内側片１４の両端に連接されている。各フラップは、山折りされる折曲線１９を介して箱本体１に連結されている。この閉塞部２は、箱本体１の内部に収納物が収容された状態で、図３に示すように、一対の横フラップ２４、２２を内側に折り畳み、次いで一対の横フラップ２４、２２と重なり合うように下フラップ２３、上フラップ２１をこの順で内側に折り畳み、この状態で一対の横フラップ２４、２２、下フラップ２３、上フラップ２１を接着剤８で接着して、両端開口部１Ａを封緘する。
【００３１】
（突出部２５）
一対の横フラップ２４、２２は、折曲線１９を下底とする台形状に形成されている。さらに、横フラップ２４、２２は、内側に折り畳まれた状態で外側に突出する突出部２５を、中央部の表面に備えている。図に示す突出部２５は、横フラップ２４、２２の中央部を部分的に切断すると共に、この切断された部分を外側に向かって押し出して外側に突出する打ち出し部２６としている。図の打ち出し部２６は、横フラップ２４、２２の中央部を部分的に切断して形成されるが、横フラップ２４、２２から完全に切り離されることなく、部分的に連結された状態で切断されている。
【００３２】
図２と図３に示す突出部２５は、横フラップ２４、２２の中央部をコ字状に切断することにより、部分的に連結された打ち出し部２６を形成している。図３に示すカットライン２７は、上方が開口されたコ字状としており、言い換えるとコ字状に切断された打ち出し部２６の３辺をカットライン２７とし、上端縁を折曲ライン２８として横フラップ２４、２２に連結している。この構造の打ち出し部２６は、裏面側から押圧されることにより、外側に向かって突出する突出部２５となる。突出部２５は、図４に示すように、その突出高さ（ｈ）を、積層される下フラップ２３の厚みと略同一にしている。この構造は、突出部２５の表面と下フラップ２３の表面とを略同一平面状として、上フラップ２１の接着時の押圧力を均一にしながら理想的に接着できる。
【００３３】
さらに、打ち出し部２６により形成される突出部２５は、図３と図４に示すように、折曲ライン２８を起点として先端側に向かって傾斜しながら突出する形状の突出部２５として形成される。したがって、この突出部２５の表面は、先端に向かって突出する傾斜面２５Ａとなる。このように、横フラップ２４、２２の表面に形成された突出部２５の表面を傾斜面２５Ａとする構造は、複数のフラップを重ね合わせて封緘する際に形成される隙間を極力少なくすることができ、埃や異物、虫などの侵入を効果的に防止でき、食品や薬剤等の収納に好適な収納箱を提供することができる。
【００３４】
ただ、コ字状に切断される突出部２５は、図７に示すように、横フラップ２４、２２の後端側に折曲ライン２８を設けて、横フラップ２４、２２の先端側に向かって延びる形状の打ち出し部２６とすることもできる。この突出部２５は、図７に示すように、折曲ライン２８を起点として横フラップ２４、２２の後端側から先端側に向かって傾斜しながら突出する傾斜面２５Ａを有する形状に形成される。さらに、突出部２５は、図８に示すように、横フラップ２４、２２の中央部分を、Ｌ字状にカットして、Ｌ字状のコーナー部に向かって次第に突出する形状とすることもできる。この突出部２５も、Ｌ字状のカットライン２７の先端を結ぶ折曲ライン２８を起点として、Ｌ字状のコーナー部に向かって傾斜しながら突出する傾斜面２５Ａを有する形状に形成される。
【００３５】
以上の突出部２５は、紙シートを裁断する工程で、パンチングにより打ち抜き、裏面側から押圧することで、外側に向かって突出する形状に形成することができる。ただ、突出部２５は、必ずしも横フラップ２４、２２の中央部を部分的に切断して形成する必要はなく、図９に示すように、横フラップ２４、２２の中央部を裏面側から叩いて凹部３１を設けて、表面側に突出する凸部３２を形成して突出部２５とすることもできる。この場合も、叩き出しによって形成される凸部３２の突出高さ（ｈ）も、下フラップ２３の厚さとほぼ等しくすることができる。さらに、図示しないが、突出部は、横フラップの表面に、カットされた接着片を貼付して設けることもできる。
【００３６】
（切欠部２９）
下フラップ２３は、一対の横フラップ２４、２２に重ねた状態で、突出部２５を露出させる切欠部２９を先端部の両側に形成している。図の下フラップ２３は、先端部の両側コーナー部を矩形状に切り欠いて切欠部２９を設けており、折曲線１９を下底とする凸字状に形成されている。図に示す切欠部２９の切断縁は、突出部２５の外形に沿う形状としている。図の下フラップ２３は、略矩形状の突出部２５の外形に沿うように、コーナー部を矩形状にカットしている。このように、切除部２９を突出部２５の外形に沿う形状とする構造は、突出部２５と切欠部２９を係合させることによってこれ等の間にできる隙間をできるだけ小さくすることが可能となるので、埃や異物等の侵入防止効果を向上できる。ただ、突出部２５や切欠部２９の形状は以上の形状には限定されず、図示しないが、矩形状の突出部に対して切除部の形状をくの字状や円弧状のような形状とすることもできる。
【００３７】
以上の下フラップ２３は、図３、図４、及び図７〜図９に示すように、一対の横フラップ２４、２２と重なり合うように内側に折り畳まれた状態で、両側の切欠部２９から突出部２５を露出させる。この状態で、図３に示すように、突出部２５の表面から下フラップ２３の表面に跨がって接着剤９が塗布され、上フラップ２１を内側に折り畳むことによって、図４に示すように箱本体１の両端開口部１Ａが封緘される。なお、突出部２５と下フラップ２３に塗布される接着剤９の塗布位置は、図３に示すように、略一直線状に配置することが好ましい。それは、接着剤９を略一直線上に塗布することによって、接着工程を簡素化し、より均一な押圧力の付与が可能となるからである。このように、一対の横フラップ２４、２２から突出する突出部２５を下フラップ２３の切欠部２９から露出させて、これ等の表面に接着剤９を塗布する構造は、１回の接着工程で一対の横フラップ２４、２２と下フラップ２３と上フラップ２１とを接着することができるので、接着強度の確保と製造コストの低減を図ることができる。
【００３８】
（蓋部３）
さらに、収納箱は、図５に示すように、内部に収納された収納物を取り出すために、上面全体を開放できる蓋部３を備えている。図に示す蓋部３は、前面１０から部分的に切り離される外側片１５の一部と天面１１とで構成されている。外側片１５は、前面１０から部分的に切り離すために、内側片１４に接着されない領域を非接着部１７としており、切り取り線４を介して非接着部１７を接着部１６から切り離し可能としている。図に示す外側片１５は、下部の両端部に矩形状の接着部１６を設けており、この接着部１６を除く領域を内側片１４に接着されない非接着部１７としている。天面１１は、両端縁に沿って切り取り線４を設けており、閉塞部２から切り離し可能としている。接着部１６から分離される非接着部１７と、閉塞部２から分離される天面１１は、折曲線１８で連結されて蓋部３を構成している。蓋部３は、背面１２との境界である折曲線１８を折り曲げ線として開閉される。このように、蓋部３で箱本体１の上面全体を開放可能な収納箱は、開放された上面開口１Ｂから収納物を効率よく取り出しできる。
【００３９】
さらに、図に示す蓋部３は、天面１１の前端縁に、外側片１５の一部である非接着部１７が連結されているので、この部分を前面１０の内側片１４の内側に挿入することで、収納箱の上方開口１Ｂを再び閉塞することができる。すなわち、この構造の蓋部３は、切り取り線４に沿って周囲を切断することで収納箱の上方開口１Ｂを開放しつつ、前面１０側の非接着部１７を内側片１４の内側に挿入することで、収納箱の上方開口１Ｂを閉塞可能な開閉蓋として機能する。
【００４０】
（切り取り線４）
切り取り線４は、前面の接着部１６及び両端の閉塞部２から蓋部３を分離する際の切断方向に沿うように延伸して設けられている。図に示す切り取り線４は、外側片１５の接着部１６と非接着部１７とを切り離すための第一切り取り線４１と、天面１１の両端の折曲線１９に位置して、天面１１を上フラップ２１から分離するための第二切り取り線４２とを備えている。
【００４１】
図に示す切り取り線４は、切断部と非切断部とを交互に設けてなるミシン目状としており、切断部に対して非切断部を短くすることで切り取り線４を切断しやすくしている。この切り取り線４は、例えば、切断部の長さを５〜１５ｍｍとし、非切断部の長さを０．５〜３ｍｍとし、切断部の長さに対する非切断部の長さの割合を１０〜３０％とすることができる。さらに、図に示す切り取り線４は、切断方向に対して交差する交差切れ目４３を、切り取り線４に沿って設けている。図の切り取り線４は、切断方向において切断部の後端縁に連続して、切り取り線４の延伸方向に対して傾斜する切断部を設けて交差切れ目４３としている。図に示す切り取り線４は、第一切り取り線４１、第二切り取り線４２の全体にわたって交差切れ目４３を設けている。このように、切り取り線４に交差切れ目４３を設ける構造は、切り取り線４に沿って紙を切断する際に、交差切れ目４３を介して切断方向を連続させながら切断できるので、切り取り線４をスムーズに切断できる特徴がある。
【００４２】
第一切り取り線４１は、外側片１５の先端部の両側に形成された矩形状の接着部１６を切断するために、略Ｌ字状に延長された切り取り線としている。Ｌ字状の第一切り取り線４１は、図１において、外側片１５の下端縁から垂直に延びる垂直部４１Ａと、外側片１５の側縁から水平に延びる水平部４１Ｂとで構成されており、垂直部４１Ａと水平部４１Ｂとの連結部を湾曲ラインとして滑らかに連結している。
【００４３】
第二切り取り線４２は、天面１１の両端縁であって、天面１１と上フラップ２１との境界に形成された折り目である折曲線１９に位置して設けている。このように、第二切り取り線４２を閉塞部２の上端に形成される折り目に位置させる構造は、切り取り線４を目立たなくして外観良く配置しながら、上方開口１Ｂを広く開口できる。また、蓋部３を開放する際には、切り取り線４を折り目に沿って綺麗に切断できる。
【００４４】
さらに、図１に示す外側片１５は、非接着部１７の下端を接着部１６よりも突出させており、この突出端を切断開始部５１として蓋部３の周縁を箱本体１から切り離しできるようにしている。この構造の切断開始部５１は、突出部分に指先を引っ掛ける状態で、切断開始部５１を摘んで切断方向に引っ張ることで、極めて簡単に蓋部３の周囲に設けた切り取り線４の切断を開始することができる。
【００４５】
以上のように、切り取り線４が周囲に形成された蓋部３は、切断開始時には切断開始部５１に指先を引っ掛けて切断方向に引っ張ることで非接着部１７が第一切り取り線４１に沿って無理なく切断されると共に、さらに、互いに平行に延びる第二切り取り線４２に沿って天面１１の両端縁がスムーズに切断されて収納箱の上方開口１Ｂが開放される。
【００４６】
（タブ５）
さらに、蓋部３は、非接着部１７の表面に、収納物に関する情報を印字した情報表示領域５０を有している。図に示す蓋部３は、外側片１５の下部の両端部を接着部１６として内側片１４に接着して、中央部に形成される非接着部１７に情報表示領域５０を設けている。さらに、蓋部３は、この情報表示領域５０の周囲に破断線６を設けて、破断線６で切断することにより、情報表示領域５０を含むタブ５として蓋部３から切り離して利用可能としている。図に示す破断線６は、切断部と非切断部とを交互に設けてなるミシン目状としている。この破断線６は、前述の切り取り線４と異なる線種とすることで、間違って切断されるのを防止できる。ただ、切り取り線と破断線は同じ線種としてもよい。図に示す蓋部３は、非接着部１７の左右の中間であって、左右の接着部１６の間に位置する領域をタブ５として蓋部３から分離できるようにしている。
【００４７】
タブ５は、蓋部３から切り離された状態で、外形を略矩形状とする形状であって、少なくとも破断線６の一部を、第一切り取り線４１の延長線上に配置している。さらに、図１と図５に示すタブ５は、矩形状の上端縁に破断線６を設けると共に、この破断線６の両端から延びる破断線６を第一切り取り線４１の垂直部４１Ａの延長線上に配置している。このタブ５は、第一切り取り線４１の垂直部４１Ａに沿って延伸された破断線６を、垂直部４１Ａに沿って簡単かつ容易に切断できる。また、上端縁の破断線６は、天面１１との境界縁である折曲線１８に位置して設けている。これにより、破断線を目立たなくして外観良く配置しながら、タブの切断時には、破断線６を折り目に沿って綺麗に切断できる。このため、切り離されたタブの外観を美しくできる。
【００４８】
以上の蓋部３は、図５に示すように、切り取り線４を切断して収納箱の上方開口１Ｂを開口した状態で、タブ５の両側に沿って配置された破断線６を切断し、その後、天面１１との境界である折り目となる折曲線１８に沿って配置された破断線６が切断されて、図６に示すように、タブ５が分離される。さらに、タブ５が分離された蓋部３は、図６に示すように、天面１１の前端縁に、タブが除去された非接着部の残片１７’が残存しているので、この残片１７’を内側片１４の内側に挿入することで、収納箱の上方開口１Ｂを再び閉塞することができる。すなわち、この構造の蓋部３は、タブ５を除去した状態においても、収納箱の上方開口１Ｂを開閉できる開閉蓋として機能を維持できる。
【００４９】
以上のようにして蓋部３から分離されたタブ５は、例えば、収納箱から取り出した収納物を別の収納場所に移した際に、収納物の保管場所に取り付けることで、収納物情報を明示して収納物の管理を便利に行うことができる。
【００５０】
（実施例２）
次に、図１０ないし図１４に、本発明の実施例２にかかる紙製の収納箱を示す。これらの図に示す収納箱は、前述の実施例１の収納箱に対して、閉塞部に廃棄時の分解機構を設けた点と、タブ５の切り離し構造、とくに、破断線６の構造が異なっている。したがって、以下に示す実施例２の収納箱においては、閉塞部２と破断線６についてのみ詳述し、前述の実施例１と同じ構成要素については、同符号を付してその詳細な説明を省略する。
【００５１】
図１０ないし図１４に示す収納箱の閉塞部２は、廃棄時に箱全体を分解しやすくするために分解機能３３を備えている。図に示す閉塞部２は、下フラップ２３に、分解機構３３として第一破断線３４及び第二破断線３５からなる破断線を設けて、下フラップ２３を後端部２３Ａと先端部２３Ｂとに分離できるようにしている。図１２に示す下フラップ２３は、後端部２３Ａの先端縁と先端部２３Ｂの側縁とでＬ字状の切欠部２９を構成しており、この切欠部２９において横フラップ２４、２２の突出部２５を露出させている。この下フラップ２３は、図１２に示すように、一対の横フラップ２４、２２と重なり合うように内側に折り畳まれた状態で、両側の切欠部２９から突出部２５を露出させる。この状態で、図１２に示すように、突出部２５の表面から下フラップ２３の表面に跨がって接着剤９が塗布され、上フラップ２１を内側に折り畳むことによって、図１０に示すように箱本体１の両端開口部１Ａが封緘される。ここで、下フラップ２３は、分離機能３３である破断線によって後端部２３Ａと先端部２３Ｂとに分離されるので、突出部２５に塗布される接着剤９は、図１２に示すように、先端部２３Ｂにのみ塗布される。
【００５２】
以上の閉塞部２は、収納箱を解体して廃棄する際には、円弧状に形成された第一破断線３４を指先で切断し、その後、第二破断線３５を切断して下フラップ２３を後端部２３Ａと先端部２３Ｂとに分離する。破断線で分離された後端部２３Ａは折曲線１９を介して底面に連結され、破断線で分離された先端部２３Ｂは、接着剤９を介して横フラップ２４、２２と上フラップ２１とに連結されている。分解機能３３は、上フラップ２１、及び横フラップ２４、２２と一体になって、箱本体から分離され、あるいは箱本体と共に廃棄される。
【００５３】
さらに、図１０、図１３、及び図１４に示す蓋部３は、非接着部１７の下端部であって、左右の接着部１６の間に位置する領域をタブ５として蓋部３から分離できるようにしている。このタブ５は、蓋部３から切り離された状態で、外形を略矩形状とする形状であって、少なくとも破断線６の一部を、第一切り取り線４１の延長線上に配置している。図１０に示すタブ５は、矩形状の上端縁に破断線６を設けると共に、この破断線６を第一切り取り線４１の水平部４１Ｂの延長線上に配置している。このタブ５は、第一切り取り線４１の水平部４１Ｂに沿って延伸された破断線６を、水平部４１Ｂに沿って簡単かつ容易に切断できる。とくに、一本の破断線６を切断することでタブ５を蓋部３から分離できるので、タブ５を切り離す工程を簡素化できる。
【産業上の利用可能性】
【００５４】
本発明は、箱本体の両端開口部を確実に閉塞しながら上面を開放して収納物の取り出しが可能な収納箱であって、特に食品や薬剤等の収納に好適な収納箱として利用できる。
【符号の説明】
【００５５】
１…箱本体
１Ａ…両端開口部
１Ｂ…上面開口
２…閉塞部
３…蓋部
４…切り取り線
５…タブ
６…破断線
８…接着剤
１０…前面
１１…天面
１２…背面
１３…底面
１４…内側片
１５…外側片
１６…接着部
１７…非接着部
１７’…残片
１８…折曲線
１９…折曲線
２１…上フラップ
２２…横フラップ
２３…下フラップ
２３Ａ…後端部
２３Ｂ…先端部
２４…横フラップ
２５…突出部
２５Ａ…傾斜面
２６…打ち出し部
２７…カットライン
２８…折曲ライン
２９…切欠部
３１…凹部
３２…凸部
３３…分離機能
３４…第一破断線
３５…第二破断線
４１…第一切り取り線
４１Ａ…垂直部
４１Ｂ…水平部
４２…第二切り取り線
４３…交差切れ目
５０…情報表示領域
５１…切断開始部
【図１】
2018144875.tif 000003
【図２】
2018144875.tif 000004
【図３】
2018144875.tif 000005
【図４】
2018144875.tif 000006
【図５】
2018144875.tif 000007
【図６】
2018144875.tif 000008
【図７】
2018144875.tif 000009
【図８】
2018144875.tif 000010
【図９】
2018144875.tif 000011
【図１０】
2018144875.tif 000012
【図１１】
2018144875.tif 000013
【図１２】
2018144875.tif 000014
【図１３】
2018144875.tif 000015
【図１４】
2018144875.tif 000016